(57)【特許請求の範囲】
【請求項１】
全ての知的タイプなモジュールが同一の使用者入出力インターフェースを共用できる知的タイプな装置であって、
マスタモジュールと、複数個のスレーブモジュールとを備え、
前記マスタモジュールの上に使用者入出力インターフェース、中央処理ユニット、制御回路および少なくとも２個の切替パーツが設けられ、前記中央処理ユニットを第一切替パーツ、第二切替パーツおよび制御回路と接続させ、前記中央処理ユニットは前記制御回路を通してパケットおよび信号を受信または送信することができ、前記第一切替パーツおよび前記第二切替パーツのガイドまたは切断の動作を制御し、前記制御回路は前記第一切替パーツを通して使用者入出力インターフェースと接続し、
各スレーブモジュールの上の中央処理ユニットをそれぞれ第三切替パーツおよび制御回路と接続させ、その中央処理ユニットは制御回路を通してパケットおよび信号を受信または送信することができ、前記第三切替パーツのガイドまたは切断の動作を制御し、制御回路は前記第三切替パーツを通して前記第二切替パーツと接続することで、前記第二切替パーツを通して前記使用者入出力インターフェースと接続し、
前記使用者入出力インターフェースの上に接続されたモニター装置が、あるスレーブモジュールに対し、監視、設定またはデバッギングを探知した場合、マスタモジュールの中央処理ユニットは前記切替パーツのガイドまたは切断の動作を制御することで、前記使用者入出力インターフェースの使用および制御権を前記あるスレーブモジュールへ移転し、前記使用者入出力インターフェースより送信されてきた信号を受信できることを特徴とする知的タイプな装置。
【請求項２】
請求項１に記載の知的タイプな装置において、
前記マスタモジュールおよび前記スレーブモジュールの上にそれぞれ電気回路ボードがあり、その各電気回路ボードの上にそれぞれ中央処理ユニット、ネット制御回路および関連するネットソフト情報交換ポートが設けられ、
前記スレーブモジュールがそれぞれその上での情報交換ポートを通して前記マスタモジュールの上での情報交換ポートを接続させることで、前記マスタモジュールの中央処理ユニットは前記スレーブモジュールの中央処理ユニットへ制御管理を行うことができ、単一のシステムが形成され、モジュールの上での他の入出力ポートを他の関連する装置と接続して、情報交換処理を執行できることを特徴とする知的タイプな装置。
【請求項３】
請求項１に記載の知的タイプな装置において、
各モジュールの上に設けられた切替ユニットは、リレーを使用することができることを特徴とする知的タイプな装置。
【請求項４】
請求項１に記載の知的タイプな装置において、
ハウジングを備え、前記ハウジングの目的は前記マスタモジュールおよび複数個の前記スレーブモジュールを取付けることにあることを特徴とする知的タイプな装置。
【請求項５】
請求項４に記載の知的タイプな装置において、
前記使用者入出力インターフェースが前記ハウジングの外に突出して設けられていることを特徴とする知的タイプな装置。
【請求項６】
請求項４に記載の知的タイプな装置において、
前記各スレーブモジュールの制御回路の上にそれぞれ１個の使用者入出力インターフェースが取付けられ、前記各スレーブモジュールが前記ハウジングの中に取付けられたとき、使用者入出力インターフェースが前記ハウジングの中に取付けられていることを特徴とする知的タイプな装置。
【発明の詳細な説明】
【０００１】
【発明の属する技術分野】
本発明は、複数個の知的タイプなモジュールを備える知的タイプな装置に関するものである。特に、その上での知的タイプなモジュールは、すべて同一の使用者入出力インターフェースを共用できる知的タイプな装置に関するものである。
【０００２】
【従来の技術】
近年ネット世界の勢いが盛んであるので、様々なネット交換装置が段々と発明されてきた。しかも、各業界のその生活および工作環境に使用されているので、情報流通のスピードおよび効率を高め、人間の生活および仕事において大変便利である。但し、情報化の高度の発展によって、ネットの使用者によるネット情報のサービスに対する要求は段々高くなってきた。便利で快速である以外に、更に整然として多様性を有するサービスの提供も要求されてきたので、その需要を満足させるため、知的タイプなネット交換装置（Intelligent  Network  Switch）が発明されたのである。
【０００３】
図１に、従来のネット交換装置のスタンダード構造（Standard  bone）８を示す。主に知的タイプなネット交換装置のスタック式構造（Stack）の上に、複数個のそれぞれ独立しているネット交換装置８１、８２、８３、８４、８５が設けられ、各自のネット交換装置８１、８２、８３、８４、８５は、それぞれ各自独立のハウジングの中に取り付けられ、各自の電気回路、中央処理ユニットおよびネット作業システム等を備え、各自のネット交換装置８１、８２、８３、８４、８５の上にそれぞれ使用者入出力インターフェース８１１、８２１、８３１、８４１、８５１（例えばRS−２３２インタフェース）が設けられている。ネット管理者はその入出力インターフェースの上にネットモニター装置を接続し、そのネット交換装置へネット制御管理（Network Monitoring & Management）、システム設定、デバッギングおよびソフト更新等の作業を行うことができる。前述の従来のネット交換装置において、その構造の上にスタックされた複数個のネット交換装置８１、８２、８３、８４、８５は、実際にはそれぞれ独立のシステムであり、それとオンラインしている関連するネット装置へネット交換処理を行うことができる。よって、ネット管理者はネットのモニター装置を使ってそのネット交換装置へ検知を行う場合、順に線路を各ネット交換装置の使用者入出力インターフェース８１１、８２１、８３１、８４１、８５１に接続してから、モニタリング処理を完了できるのである。
【０００４】
図２に、新しく発展した知的タイプなネット交換装置９を示す。その装置の構造は、主にマスタモジュール（Master）９１および複数個のスレーブモジュール（Slave  module）９２、９３、９４、９５…をハウジングの中に取り付けるので、その知的タイプなネット交換装置９の中に、実際には複数個のネット交換モジュール９２、９３、９４、９５…が含まれ、その中のマスタモジュール（Master）９１およびそのスレーブモジュール（Slave  module）９２、９３、９４、９５…は各１個の電気回路ボードがあり、その各１個の電気回路ボードの上にそれぞれ中央処理ユニット、ネット制御回路および関連するネットソフトが設けられ、しかも、それが同一の構造の上に取り付けられ、ネット交換システムが形成されている。そのネット交換システムの中において、そのスレーブモジュールはそれぞれその上での情報交換ポート９２２、９３２、９４２、９５２を通してそのマスタモジュールの上での情報交換ポート９１２を接続させ、その情報交換ポートは主にそのマスタ、スレーブモジュールの中央処理ユニットの間に信号またはパケットの交換を行わせるので、一般のネット入出力ポート（即ちIn-Band）、または独立のチャンネル（channel即ちOut-Band）を使っても良く、そのマスタモジュール（Master）９１はスレーブモジュール（Slave  module）９２、９３、９４、９５…に制御管理を行うことができるが、そのスレーブモジュールの上でのその他のネット入出力ポートをその他の関連するネット装置とオンラインして、ネット交換処理を行うことができる。
【０００５】
その知的タイプなネット交換装置９の中の、ハウジングの中に取付けられたマスタモジュール（Master）９１および複数個のスレーブモジュール（Slave  module）９２、９３、９４、９５…は、ラインでお互い繋がる関係があるが、それぞれの電気回路ボードの上での線路およびユニットは各自独立である。したがって、その知的タイプなネット交換装置９の設計および製造業者は、管理者がそれぞれのマスタモジュール（Master）９１および複数個のスレーブモジュール（Slave  module）９２、９３、９４、９５…に検知を行うことができるようにするため、各モジュールの上にそれぞれ一つの使用者入出力インターフェース（例えばRS−２３２インターフェース）９１１、９２１、９３１、９４１、９５１…を取り付けなければならない。しかも、そのネット使用者入出力インターフェース９１１、９２１、９３１、９４１、９５１…をその知的タイプなネット交換装置９のハウジングの外に露出させることで、ネット管理者はモニター装置を順序によってそれぞれの使用者入出力インターフェース９１１、９２１、９３１、９４１、９５１…に接続できるので、それぞれのモジュール９１、９２、９３、９４、９５…に必要なモニタリングを行うことができる。
【０００６】
この状況では、それぞれの知的タイプなネット交換装置のハウジングの外にいろいろな使用者入出力インターフェースが突出して設けられているので、その知的タイプなネット交換装置の中でのあるスレーブモジュールに問題がでた場合、またはネット管理者があるスレーブモジュールにモニタリング管理、設定、デバッギングおよびソフト更新等の作業を行う場合、そのモジュールに対応する使用者入出力インターフェースに識別混乱の問題がよく発生する。それぞれの知的タイプなネット交換装置のハウジングの外に突出して設けられた使用者入出力インターフェースに対しても、パーツの組立順序およびコストを増加することになるので、どのようにしてすべてのネット交換モジュールに同一の使用者入出力インターフェースを使用させるかを開発することが、知的タイプなネット交換装置の設計において解決すべき重要課題である。
【０００７】
【発明が解決しようとする課題】
よって本発明の目的は、あるスレーブモジュールに問題が出た場合、またはネット管理者があるスレーブモジュールに制御管理、システム設定またはソフト更新等の作業を行う場合、それぞれのモジュールに対応する使用者入出力インターフェースを識別するとき、混乱の問題が生じず、すべての知的タイプなモジュールが同一の使用者入出力インターフェースを共用できる知的タイプな装置を提供することである。
【０００８】
本発明のもう一つの目的は、すべての知的タイプなモジュールが同一の使用者入出力インターフェースを使用することができ、その使用者入出力インターフェースの使用を大幅に減少できる以外にそれぞれのモジュールの電気回路を簡単にすることができ、設計および製造コストを低下できる知的タイプな装置を提供することにある。
【０００９】
【課題を解決するための手段】
上述のような従来の知的タイプなネット交換装置の、ハウジングの外に突出して設けられた使用者入出力インターフェースを使用することによる欠点を解決するため、本発明者は長い間の研究および実験によって、本発明を設計、開発したのである。つまり、上記課題を解決するための本発明は、全ての知的タイプなモジュールが同一の使用者入出力インターフェースを共用できる知的タイプな装置に関するものである。その知的タイプな装置の中にマスタモジュールおよび複数個のスレーブモジュールが取り付けられている。そのマスタモジュールの上に使用者入出力インターフェースが設けられ、すべてのモジュールの中にそれぞれ中央処理ユニット、制御回路および切替パーツが設けられている。しかも、すべてのモジュールの中での中央処理ユニットをその制御回路および切替パーツに接続させ、その制御回路はその切替パーツを通して使用者入出力インターフェースに接続するので、使用者入出力インターフェースの上に接続されたモニター装置が、あるスレーブモジュールに対し、監視、設定またはデバッギングを探知した場合、マスタモジュールの中央処理設置は切替パーツのガイドまたは切断の動作を制御することで、使用者入出力インターフェースの使用および制御権をあるスレーブモジュールへ移転することができ、あるスレーブモジュールはその上での切替パーツのガイドまたは切断の動作を制御することでその使用者入出力インターフェースより送信してきた信号を引き受け、そのモニター装置はあるスレーブモジュールへモニタリング、設定またはデバッギングを行うことができる。
【００１０】
また、まずソフトで使用者入出力インターフェースの使用する対象を決めてからハードで制御信号を生じさせることで、それぞれのモジュールの上での切替パーツのガイドまたは切断の動作を制御できるので、部分制御またはデバッギングを行う予定のモジュールがその使用者入出力インターフェースの使用および制御権を取得でき、そのモニター装置はそのモジュールにモニタリング、設定またはデバッギングを行うことができ、その知的タイプなネット交換装置の中でのあるスレーブモジュールに問題が出た場合、またはネット管理者があるスレーブのモジュールに制御管理、システム設定またはソフト更新等の作業を行う場合、それぞれのモジュールに対応する使用者入出力インターフェースを識別するとき、混乱の問題は生じない。
【００１１】
更に、そのマスタモジュールの上に一つの使用者入出力インターフェースを取付けることで、その他のスレーブモジュールは使用および制御権を移転する方法でその使用者入出力インターフェースを共同に使用でき、その使用者入出力インターフェースの使用を大幅に減少できる以外にそれぞれのモジュールの電気回路を簡単にすることができ、知的タイプなネット交換装置の設計および製造コストを低下できる。
【００１２】
【発明の実施の形態】
本発明は全ての知的タイプなモジュールが同一の使用者入出力インターフェースを共用できる知的タイプな装置に関するものである。図３を参照する。その知的タイプな装置１には、ハウジングがあり、ハウジングの中にマスタモジュール２および複数個のスレーブモジュール３、４、５が取り付けられている。そのマスタモジュール２および複数個のスレーブモジュール３、４、５の上に、それぞれ電気回路ボードがある。図４を参照する。その電気回路ボードの上にそれぞれ中央処理ユニット２０、３０、４０、５０、制御回路２１、３１、４１、５１および関連するソフトが設けられている。そのスレーブモジュール３、４、５が、その上での情報交換知的タイプなネット交換装置ポート３０１、４０１、５０１を通してそのマスタモジュール２上での情報交換ポート２０１に接続することで、そのマスタモジュール２の中央処理ユニット２０は、そのスレーブモジュール３、４、５上の中央処理ユニット３０、４０、５０の制御管理を行うことができるので、単一なシステムが形成される。そのスレーブモジュールでのその他の情報交換ポートはその他の関連する装置に接続することで、情報交換処理を行う。
【００１３】
本発明の好ましい第一実施例による知的タイプな装置１は、知的タイプなネット交換装置の上に設けられた制御回路２１、３１、４１、５１および関連するソフトにネット制御回路および関連するネットソフトを使っても良い。ここで特に注意しなければならないのは、その好ましい第一実施例は本発明の具体的な実施例の一つにすぎず、本発明はそれに限らないので、その技術を熟知している技術者が本発明で主張した技術を変化させたり装飾したり、またはそれをその他の知的タイプな装置に応用したりすることも本発明の特許請求の範囲に含まれる。
【００１４】
好ましい第一実施例の中における知的タイプな装置１には、一つの使用者入出力インターフェース（例えばRS−２３２インターフェース）２５だけが設けられている。図３および４を参照する。その使用者入出力インターフェース２５がマスタモジュール２の電気回路ボードに設けられ、各モジュール２、３、４、５の中での各中央処理ユニット２０、３０、４０、５０はそれぞれその上での制御回路２１、３１、４１、５１に接続され、それぞれのモジュール２、３、４、５の中にそれぞれ切替パーツ２２、３２、４２、５２が設けられ、各ネット制御回路２１、３１、４１、５１は、それぞれの切替パーツ２２、３２、４２、５２を通して使用者入出力インターフェース２５に接続できる。その中でのマスタモジュール２の電気回路ボードの上にその他の切替パーツ２３が設けられ、その他の切替パーツ２３はそれぞれのスレーブモジュール３、４、５が使用者入出力インターフェース２５に接続された線路その他の切替パーツ２３の間に設けられている。
【００１５】
その第一実施例において、各モジュール２、３、４、５の上に設けられたそれぞれの切替パーツ２２、３２、４２、５２およびその他の切替パーツ２３は、リレーを使っても良いが、それは本発明の実施例の一つであり、全ての切替作用をもって本発明に応用できるパーツはすべて本発明で称する切替パーツに関するものである。そのマスタモジュール２の上での切替パーツ２２、２３は、そのマスタモジュール２の中央処理ユニット２０に制御されることでガイドまたは切断の動作を制御し、各スレーブモジュール３、４、５の上での切替パーツ３２、４２、５２は、それぞれのスレーブモジュール３、４、５の中央処理ユニット３０、４０、５０に制御されることでガイドまたは切断の動作を制御する。
【００１６】
それにより、そのマスタモジュール２より、使用者入出力インターフェース２５の上に接続されたモニター装置があるスレーブモジュールに対し監視、設定またはデバッギングを探知した場合、そのマスタモジュール２の中央処理ユニット２０は切替パーツ２２、２３のガイドまたは切断の動作を制御し、使用者入出力インターフェース２５の使用および制御権をあるスレーブモジュールへ移転することができ、そのあるスレーブモジュールはその上での切替パーツのガイドまたは切断の動作を制御することで、その使用者入出力インターフェース２５より送信してきた信号を引き受ける。または、信号を使用者入出力インターフェース２５まで送信することで、そのモニター装置はあるスレーブモジュールへモニタリング、設定またはデバッギングを行うことができる。
【００１７】
その第一実施例において、ネット管理者があるスレーブモジュール（例えば番号４のスレーブモジュール）へモニタリング、設定またはデバッギングを行う場合、まず、一つのモニター装置を知的タイプなネット交換装置１のハウジングの外に突出した使用者入出力インターフェース（例えばＲＳ−２３２インターフェース）２５に接続し、その使用者入出力インターフェース２５を通してそのマスタモジュール２へ一つの制御命令を伝え、初期状態の場合、その使用者入出力インターフェース２５の使用および制御権はマスタモジュール２に所属しているので、そのマスタモジュール２の切替パーツ２２はガイドしている状態を呈し、その他の切替パーツ２３は切断状態を呈する。図４を参照する。それにより、その知的タイプなネット交換装置１上での各ユニットは下記のステップによって、関連する制御処理を行う。図５および図６を参照する。
【００１８】
（６０１）そのマスタモジュール２の中央処理ユニット２０は、そのネット制御回路２１を通して制御命令を受けたとき、使用者入出力インターフェース２５の使用および制御権をその他のスレーブモジュールへ移転する命令を受け取ったかどうかを判断とする。その判断が「NO」である場合は続いてステップ（６０２）を執行し、その判断が「YES」である場合は続いてステップ（６０３）を執行する。
【００１９】
（６０２）そのマスタモジュール２の中央処理ユニット２０は、ネットモニター装置からの命令に直接処理をし、ステップ（６０１）に戻る。
（６０３）そのマスタモジュール２の中央処理ユニット２０は、一つの切替信号を生じて切替パーツ２２まで送信することで、切断状態に切替られる。
【００２０】
（６０４）そのマスタモジュール２の中央処理ユニット２０は、一つの切替信号を生じてもう一つの切替パーツ２３まで送信することで、ガイドしている状態に切替えられ、それぞれのスレーブモジュール３、４、５をその使用者入出力インターフェース２５に接続することで、その使用者入出力インターフェース２５の使用および制御権を得られる。知的タイプなネット交換装置１の上での各パーツの状態は図７の通りである。
【００２１】
（６０５）そのマスタモジュール２の中央処理ユニット２０の上に一つの信号を生じてそれぞれのスレーブモジュール３、４、５まで送信し、モニタリング、設定またはデバッギングを行う相手を知らせ、この場合にはそのスレーブモジュール４はネットのモニター設置がモニタリング、設定またはデバッギングを行う相手であるので、そのスレーブモジュール４が切替信号を生じてその上での切替パーツ４２まで送信することでガイドしている状態に切替えられる。図８を参照する。その使用者入出力インターフェース２５を接続して使用者入出力インターフェース２５の使用および制御権を得られるが、そのスレーブモジュール３、５の切替パーツ３２、５２は切断されている状態に維持される。
【００２２】
（６０６）そのマスタモジュール２の中央処理ユニット２０で、そのスレーブモジュール４は、一定時間以内に何か回答信号を送信したかどうかを判断する。その判断が「YES」である場合、続いてステップ（６０７）を執行し、その判断が「NO」である場合ステップ（６１０）を続いて執行する。
【００２３】
（６０７）そのスレーブモジュール４の中央処理ユニット４０は、使用者入出力インターフェース２５の使用および制御権をそのマスタモジュール２へ移転する命令を受け取ったかどうかを判断する。その判断が「NO」である場合は、続いてステップ（６０８）を執行し、その判断が「YES」である場合は、続いてステップ（６０９）を執行する。
【００２４】
（６０８）そのスレーブモジュール４の中央処理ユニット４０は、ネットモニター装置より受信した信号を処理し、ステップ（６０７）に戻る。
（６０９）そのスレーブモジュール４の中央処理ユニット４０は、一つの応答信号を生じてそのマスタモジュール２まで送信する。
【００２５】
（６１０）そのマスタモジュール２の中央処理ユニット２０は、一つの信号を生じてそのスレーブモジュール４まで送信し、そのスレーブモジュール４に一つの切替信号を生じてその上での切替パーツ４２まで送信することを要求する。
（６１１）その切替パーツ４２は、切替信号によってそれを切断状態に切替させる。図４を参照する。
【００２６】
（６１２）そのマスタモジュール２の中央処理ユニット２０は、一つの切替信号を生じてその他の切替パーツ２３まで送信し、それを切断状態に切替させる。
（６１３）そのマスタモジュール２の中央処理ユニット２０は、もう一つの切替信号を生じてその切替パーツ２２まで送信し、それをガイドしている状態に切替させることで、そのマスタモジュール２を使用者入出力インターフェース２５に接続させ、改めて使用者入出力インターフェース２５の使用および制御権を取り返すことができる。この場合、その知的タイプなネット交換装置１の上での各ユニットの状態は改めて図４のような初期状態に戻る。
【００２７】
本発明の第二実施例を図９に示す。その知的タイプなネット交換装置を研究開発した初期、各スレーブモジュール３、４、５が独立の装置として見なされ、モニタリング、設定またはデバッギング等の処理が研究開発された。なお、各スレーブモジュール３、４、５の制御回路３１、４１、５１の上にそれぞれ一つの使用者入出力インターフェース３３、４３、５３を追加して取付けることができるが、そのスレーブモジュール３、４、５が知的タイプなネット交換装置１の中に取付けられたとき、各使用者入出力インターフェース３３、４３、５３のハウジングの中に取付けられた。
【００２８】
上述によって、その知的タイプなネット交換装置は、ソフトによって使用者入出力インターフェースの相手が決まってからハードを利用して制御信号を生じ、各モジュールの上での切替パーツのガイドまたは切断の動作を制御し、部分制御またはデバッギングを待っているモジュールにその使用者入出力インターフェースの使用または制御の権利を取得させるので、ネット管理者があるスレーブモジュールにモニタリング、設定またはデバッギングおよびソフト更新などの作業を執行する場合、各モジュールの対応する使用者入出力インターフェースを間違って識別することがない。また、その知的タイプなネット交換装置のマスタモジュールの上に使用者入出力インターフェースを取付けることで、使用および制御権の移転によってその他のモジュールが共同にその使用者入出力インターフェースを使用できるので、その使用者入出力インターフェースの上に使用者入出力インターフェースの使用量を大幅に減少でき、それぞれのモジュールの電気回路を簡単にできるので、その知的タイプなネット交換装置の設計および製造コストダウンの目的を達成することができる。
【図面の簡単な説明】
【図１】従来の知的タイプなスタック式ネット交換装置を示す模式図である。
【図２】従来の知的タイプなスタック式ネット交換装置を示す模式図である。
【図３】本発明の第一実施例による知的タイプなネット交換装置を示す模式図である。
【図４】本発明の第一実施例による知的タイプなネット交換装置が初期状態である状態の電気回路を示す模式図である。
【図５】本発明の第一実施例による知的タイプなネット交換装置の処理プロセスを示すフローチャートである。
【図６】本発明の第一実施例による知的タイプなネット交換装置のその他の処理プロセスを示すフローチャートである。
【図７】本発明の第一実施例による知的タイプなネット交換装置が制御権を移転する場合の電気的構造を示す模式図である。
【図８】本発明の第一実施例による知的タイプなネット交換装置が制御権をスレーブモジュールに移転する場合の電気的構造を示す模式図である。
【図９】本発明の第二実施例による知的タイプなネット交換装置の電気的構造を示す模式図である。
【符号の説明】
１    知的タイプな装置
２    マスタモジュール
３、４、５    スレーブモジュール
２０、３０、４０、５０    中央処理ユニット
２１、３１、４１、５１    制御回路
２２、３２、４２、５２    切替パーツ
２３    他の切替パーツ
２５、３３、４３、５３    使用者入出力インターフェース
２０１、３０１、４０１、５０１    メッセージ交換ポート
【図１】
0003913608.tif 000002
【図２】
0003913608.tif 000003
【図３】
0003913608.tif 000004
【図４】
0003913608.tif 000005
【図５】
0003913608.tif 000006
【図６】
0003913608.tif 000007
【図７】
0003913608.tif 000008
【図８】
0003913608.tif 000009
【図９】
0003913608.tif 000010